(57)【要約】【課題】使用時に心地よい剃り音が得られる往復式電気かみそりを提供する。【解決手段】本体部１と、本体部１の上端部に接続される外刃カセット２と、外刃カセット２の上端に配置される外刃３と、本体部１と連結して外刃カセット２内にて前記外刃３の内側を往復摺動する内刃４とから成る往復式電気かみそりにおいて、前記内刃４を、逆Ｕ字状の複数の刃片８とそれら刃片８の下端を連結する一対の支持壁９から成る内刃体１０の内部に、本体部１と連結して往復駆動される継手部材１１を固着して形成すると共に、前記内刃体１０の継手部材１１との固着部分Ｄを一対の支持壁９の下側両隅に設ける。【選択図】　　　　図１
2004016520.tif 000002
【特許請求の範囲】
【請求項１】
本体部と、本体部の上端部に接続される外刃カセットと、外刃カセットの上端に配置される外刃と、本体部と連結して外刃カセット内にて前記外刃の内側を往復摺動する内刃とから成る往復式電気かみそりにおいて、前記内刃を、逆Ｕ字状の複数の刃片とそれら刃片の下端を連結する一対の支持壁から成る内刃体の内部に、本体部と連結して往復駆動される継手部材を固着して形成すると共に、前記内刃体の継手部材との固着部分を一対の支持壁の下側両隅に設けたことを特徴とする往復式電気かみそり。
【請求項２】
前記固着部分を、内刃全体の上下方向の中間位置よりも下側に設けたことを特徴とする請求項１記載の往復式電気かみそり。
【請求項３】
複数の刃片のうち、一部の刃片の下端部を他の刃片よりも下方に延長して形成したことを特徴とする請求項１又は２記載の往復式電気かみそり。
【請求項４】
複数の刃片のうち、一部の刃片の幅を他の刃片よりも狭く形成したことを特徴とする請求項１〜３のいずれか記載の往復式電気かみそり。
【請求項５】
支持壁に、刃片と同様の固有振動数を有する振動板を設けたことを特徴とする請求項１〜４のいずれか記載の往復式電気かみそり。
【請求項６】
振動板を、支持壁の下端から下方に延設して形成したことを特徴とする請求項５記載の往復式電気かみそり。
【請求項７】
振動板を、支持壁の下端から内方に延設して形成したことを特徴とする請求項５記載の往復式電気かみそり。
【請求項８】
振動板を、支持壁に略コ字形状のスリットを設けることで形成したことを特徴とする請求項５記載の往復式電気かみそり。
【請求項９】
刃片の下端部を他の部分よりも幅狭に形成したことを特徴とする請求項１〜８のいずれか記載の往復式電気かみそり。
【請求項１０】
刃片の内面に空気振動用の板部材を接合したことを特徴とする請求項１〜９のいずれか記載の往復式電気かみそり。
【請求項１１】
刃片の厚みを、逆Ｕ字状を成す頂点部分に近付くほど大きく形成したことを特徴とする請求項１〜１０のいずれか記載の往復式電気かみそり。
【請求項１２】
刃片と同様の固有振動数で共鳴する共鳴部材を、内刃体の内方に配したことを特徴とする請求項１〜１１のいずれか記載の往復式電気かみそり。
【請求項１３】
継手部材の両側端部から上方に一対の突部を設けると共に、前記一対の突部を内刃体の両側方に位置させたことを特徴とする請求項１〜１２のいずれか記載の往復式電気かみそり。
【請求項１４】
上端部が刃片の上端部と同様の形状を成す突設部を継手部材に形成し、該突設部を刃片と共に並設したことを特徴とする請求項１〜１３のいずれか記載の往復式電気かみそり。
【請求項１５】
突設部の上端部が面取りしてあることを特徴とする請求項１４記載の往復式電気かみそり。
【請求項１６】
継手部材において内刃体の支持壁と隙間を介して対向する部分に球状突部を設け、球状突部と支持壁との間に僅かな空間を介在させたことを特徴とする請求項１〜１５のいずれか記載の往復式電気かみそり。
【発明の詳細な説明】
【０００１】
【発明の属する技術分野】
本発明は、往復式電気かみそりに関する。
【０００２】
【従来の技術】
一般的に往復式の電気かみそりは、本体部の上端部に外刃カセットを接続し、外刃カセットの上端には複数の刃孔の開いたフォイル状の外刃を配置したものであって、本体部と連結して駆動される内刃が外刃カセット内にて前記外刃の内側を往復摺動することで、外刃の刃孔から導入した髭が、外刃の刃孔と内刃に複数備えた刃片との挟み切りにより切断されるものである。前記内刃としては、特開平１１−１９３４４号公報等に示されるように、本体部からの駆動力を伝達する継手部材に複数の刃片を備えた内刃体を結合させて形成したものが一般的である。
【０００３】
【発明が解決しようとする課題】
上記のような往復式電気かみそりにおいてシェービング時に心地よい剃り音を得る為には、外刃の刃孔と内刃の刃片とで髭を切断した際に発生する刃片の振動が充分長く続くようにしなければならない。しかしながら、従来のものでは継手部材により内刃体の刃片の振動が止められてしまって心地よい剃り音を得ることができないという問題点があった。
【０００４】
本発明は上記の点に鑑みてなされたものであり、使用時に心地よい剃り音が得られる往復式電気かみそりを提供することを課題とするものである。
【０００５】
【課題を解決するための手段】
上記課題を解決するために本発明を、本体部と、本体部の上端部に接続される外刃カセットと、外刃カセットの上端に配置される外刃と、本体部と連結して外刃カセット内にて前記外刃の内側を往復摺動する内刃とから成る往復式電気かみそりにおいて、前記内刃を、逆Ｕ字状の複数の刃片とそれら刃片の下端を連結する一対の支持壁から成る内刃体の内部に、本体部と連結して往復駆動される継手部材を固着して形成すると共に、前記内刃体の継手部材との固着部分を一対の支持壁の下側両隅に設けたことを特徴としたものとする。このようにすることで、シェービング時の内刃体の振動が継手部材により止められてしまうことを抑制して、振動を長く継続させることで剃り音を大きくして心地よい剃り音が得られるようになる。
【０００６】
また、前記固着部分を、内刃全体の上下方向の中間位置よりも下側に設けることも好ましく、このようにすることで、シェービング時の内刃体の振動が継手部材により止められてしまうことを確実に抑制することができる。
【０００７】
また、複数の刃片のうち、一部の刃片の下端部を他の刃片よりも下方に延長して形成することも好ましく、このようにすることで、一部の刃片において撓み量を増加させて内刃体全体としての振動を大きくし、更に心地よい剃り音が得られるようにすることができる。
【０００８】
また、複数の刃片のうち、一部の刃片の幅を他の刃片よりも狭く形成することも好ましく、このようにすることで、一部の刃片において撓み量を更に増加させて内刃体全体としての振動を大きくし、更に心地よい剃り音が得られるようにすることができる。
【０００９】
また、支持壁に、刃片と同様の固有振動数を有する振動板を設けることも好ましく、このようにすることで、シェービング時の刃片の振動に振動板を共振させて内刃体全体としての振動を大きくし、更に心地よい剃り音が得られるようにすることができる。
【００１０】
また、振動板を、支持壁の下端から下方に延設して形成することも好ましく、このようにすることで、振動板をコンパクトに形成することができる。
【００１１】
また、振動板を、支持壁の下端から内方に延設して形成することも好ましく、このようにすることで、振動板をコンパクトに形成することができる。
【００１２】
また、振動板を、支持壁に略コ字形状のスリットを設けることで形成することも好ましく、このようにすることで、振動板をコンパクトに形成することができる。
【００１３】
また、刃片の下端部を他の部分よりも幅狭に形成することも好ましく、このようにすることで、刃片の撓み量を増加させて剃り音を増大させ、更に心地よい剃り音が得られるようにすることができる。
【００１４】
また、刃片の内面に空気振動用の板部材を接合することも好ましく、このようにすることで、刃片の振動に伴って空気を押す面積を増加させて剃り音を増大させ、更に心地よい剃り音が得られるようにすることができる。
【００１５】
また、刃片の厚みを、逆Ｕ字状を成す頂点部分に近付くほど大きく形成することも好ましく、このようにすることで、刃片の振動に伴って空気を押す面積を増加させて剃り音を増大させ、更に心地よい剃り音が得られるようにすることができる。
【００１６】
また、刃片と同様の固有振動数で共鳴する共鳴部材を、内刃体の内方に配することも好ましく、このようにすることで、刃片の振動に合わせて共鳴部材を共鳴させ、剃り音を大きくして更に心地よい剃り音が得られるようにすることができる。
【００１７】
また、継手部材の両側端部から上方に一対の突部を設けると共に、前記一対の突部を内刃体の両側方に位置させることも好ましく、このようにすることで、刃片の振動による空気振動が側方に逃げないようにして、発生した剃り音を使用者側により聞こえ易くすることができる。
【００１８】
また、上端部が刃片の上端部と同様の形状を成す突設部を継手部材に形成し、該突設部を刃片と共に並設することも好ましく、このようにすることで、並設される刃片及び突設部で髭を切断する際に、特に突設部において振動時に多量の空気を振動させることができ、全体として大きな剃り音を発生させて更に心地よい剃り音が得られるようにすることができる。
【００１９】
また、突設部の上端部が面取りしてあることも好ましく、このようにすることで、突設部に髭が当たっても切断されないことから突設部の撓み量を増大させることができ、髭が通過した後の突設部の振動量を大きくして更に心地よい剃り音が得られるようにすることができる。
【００２０】
また、継手部材において内刃体の支持壁と隙間を介して対向する部分に球状突部を設け、球状突部と支持壁との間に僅かな空間を介在させることも好ましく、このようにすることで、内刃体の支持壁が内側に撓んだ場合には球状突部と当たって該支持壁がそれ以上撓まないようになり、内刃体の変形及び破損が防止されるものである。
【００２１】
【発明の実施の形態】
以下、本発明を添付図面に示す実施の形態に基づいて説明する。図１には、本発明の実施の形態における一例の往復式電気かみそりを示している。本例の往復式電気かみそりは、本体部１と、本体部１の上端部に接続される外刃カセット２とを備えたものであり、前記外刃カセット２には中央部に粗削り用のスリット刃カセット５を配置すると共にその両側にネット刃カセット６を配置している。
【００２２】
本体部１の上端には一対の駆動子７を突出させており、この駆動子７に着脱自在に取付けた一対の内刃４が、駆動子７と一体に往復駆動されるようになっている。外刃カセット２を本体部１に装着した状態において、内刃４は夫々対応するネット刃カセット６の上端に配置した外刃３の内側を往復摺動するようになっており、外刃３の刃孔から導入した髭が、外刃３の刃孔と内刃４に複数備えた刃片８との挟み切りにより切断されるものである。
【００２３】
次に、本発明の特徴的構成である内刃４の構造について詳しく述べる。図２等に示すように、内刃体４は逆Ｕ字状の複数の刃片８とそれら刃片８の下端を連結する一対の支持壁９から成る内刃体１０の内部に、本体部１側の駆動子７と着脱自在に連結して往復駆動される継手部材１１を固着して形成したものである。
【００２４】
内刃体１０は板金をプレス曲げして全体をアーチ状に形成したものであって、上に凸の断面略円弧状を成す上側部分１０ａにスリット孔１２を複数形成することで逆Ｕ字状の前記刃片８を複数並設させて設けると共に、上側部分１０ａの両下端から夫々下方に延設される下側部分１０ｂを一対の前記支持壁９としている。図３に示すように、前記スリット孔１２は形成される箇所に応じて長手方向寸法に違いを設けており、左右両側の一部領域Ｂに形成される複数のスリット孔１２を中央領域Ａに形成される他のスリット孔１２よりも長く形成している。これにより複数の刃片８のうち左右両側にある一部の刃片８は、その下端部８ａを中央部等に形成される他の刃片８よりも下方に延長して形成している。
【００２５】
なお、ここでは刃片８の並設される方向（つまり内刃４の往復駆動される方向）を左右方向とし、左右方向及び上下方向と直交する方向を前後方向とする。
【００２６】
図６の刃片８の断面形状に示すように、刃片８の左右両側はその上端部が左右方向に尖った鋭い刃先８ｂとなるように抉られており、刃片８は両刃先８ｂ以外の領域を比較的薄く形成したものとなっている。また、図３等に示すようにスリット孔１２の長手方向両端を略円弧状に形成することで刃片８と支持壁９との結合部分での強度を確保し、これにより刃片８の剛性を確保している。
【００２７】
左右方向に複数並設した刃片８の更に左右両側方には、刃片８よりも幅広のガード片１３を設けている。ガード片１３は刃片８と同様に逆Ｕ字状を成してその両下端を一対の支持壁９に一体に支持されるものであり、ガード片１３の左右両側のうち刃片８と対向する側の上端部には刃片８と同様の刃先１３ａを形成し、前記刃先１３ａを形成した側と逆側には上面と略９０°を成す角部１３ｂを形成している。そして、前記ガード部１３を左右両側に設置することで外部からの衝撃で刃片８が破損することのないよう、内刃体１０全体を強固に繋いでいる。
【００２８】
なお、刃片８及びガード片１３の刃先８ｂ，１３ａとそれより下方の断面略矩形を為す部分との境界部分は滑らかに形状変化させており、境界部分に応力が集中することを防止している。
【００２９】
一対の支持壁９の夫々には、左右方向の中央部分に下側の開口した左右に長尺の抉り部１４を凹設している。そして、抉り部１４の左右両側に下側の開口した略矩形状の角凹部１６を凹設すると共に、角凹部１６の左右両側には下側の開口した略円形状の円凹部１５を凹設している。前記円凹部１５の内周面の四箇所からは内側に向けて薄肉凸部２７を突設しており、また、左右両側の一対の円凹部１５のうち外側にある円凹部１５ａの上方には、支持壁９の上下方向略中央に形成される角孔である角窓部１７を設けている。
【００３０】
継手部材１１は、略アーチ状を成す内刃体１０の内部に大略収納される程度の左右に長尺の部材であり、中央側に位置する本体着脱部１８とその左右両側に位置する内刃体固定部１９とから構成されている。内刃体固定部１９の前後方向を向く両面には夫々、中央部下側に角柱状の角凸部２０を突設すると共にその左右両側に円筒状のヒートシールボス２１を突設している。前記角凸部２０やヒートシールボス２１の周辺領域は他の領域よりも一段高くした接触凸部２２としており、前後両方の接触凸部２２の凸面２２ａ間の距離を内刃体１０の両支持壁９間の距離と略一致させている。また、一対のヒートシールボス２１のうち本体着脱部１８と離れた側にあるヒートシールボス２１ａの上方には刳り貫き部２３を形成すると共に、刳り貫き部２３からそのフック部２４ａが一部飛び出すように結合フック２４を突設させている。
【００３１】
また、継手部材１１の左右に配した前記内刃体固定部１９の両外には、内刃４を本体部１に着脱する際の摘み部分として指当て部２５を設けており、各指当て部２５の上部からは上方に突部２６を延設している。
【００３２】
上記構成の内刃体１０と継手部材１１との固着は、内刃体１０の下方から継手部材１１を内部に挿入すると共に、継手部材１１の前後面の左右両隅に夫々一対ずつ設けたヒートシールボス２１を、内刃体１０の一対の支持壁９の左右両隅に一対ずつ設けた円凹部１５に嵌め込んで薄肉突部２７で位置決めした状態で、ヒートシールボス２１をヒートシールすることで行われる。加えて、内刃体１０に継手部材１１を装着した状態において、内刃体１０の一対の支持壁９の左右両端側に形成した角窓部１７の下側内側面に、継手部材１１の前後面の左右両端側に形成した結合フック２４のフック部２４ａの下面が係止し、内刃体１０の継手部材１１に対する上方への抜け止めが為される。また、一対の支持壁９の左右両端下側に形成した角凹部１６に、継手部材１１の前後面の左右両端下側に形成した角凸部２０が嵌合して、内刃体１０の継手部材１１に対する左右の位置決めが為される。更に、継手部材１１の前後面に形成した接触凸部２２の凸面２２ａが内刃体１０の支持壁９の内面と当接することで前後方向の位置決めが為されるものである。
【００３３】
このように内刃体１０は、角窓部１７の下側内側面や接触凸部２２との当接部分や角凹部１６や円凹部１５を含む下側両隅の接触領域Ｃで継手部材１１と接触すると共に、接触領域Ｃ内の固着部分Ｄにて一対のヒートシールボス２１のヒートシールにより固着を行うものである。接触領域Ｃ及び固着部分Ｄは、支持壁９の下側両隅部分であって内刃体１０の全高ｈの半分よりも下側となる部分に設けており（図５参照）、取付けに必要な必要最小限の少ない範囲しか与えていない。
【００３４】
なお、本例においては支持壁９の下側両隅の夫々に一対の固着部分Ｄを設けているが、各隅毎に固着部分Ｄを一つずつ設けたもの、つまり、各隅毎に一つのヒートシールボス２１と一つの円凹部１５とで固着を行うものであっても良いし、結合フック２４と角窓部１７や、角凸部２０と角凹部１６が無いものであっても構わない。
【００３５】
これにより、内刃体１０と継手部材１１とは相対移動することのないよう強固に固着され、且つ、接触領域Ｃや固着部分Ｄ以外では継手部材１１の突部２６と内刃体１０のガード片１３とが接触する以外は継手部材１１と内刃体１０とは隙間を介して非接触となっている。突部２６とガード片１３との接触は上下の位置決めを行うものであって刃片８の振動には殆ど影響を及ぼさないことから、上記のような構造によりシェービング時に発生する刃片８の振動を充分長い時間継続させることができ、心地よい剃り音を得ることができるものである。
【００３６】
ここで、シェービング時に発生する剃り音は、刃片８に髭が接触した際に刃片８が撓まされ、該髭を切断した段階で刃片８の撓みが開放されて発生する振動音であり、この振動音をできる限り大きなものとして、徐々に小さくなりながらもできる限り長い時間その振動を継続させることで、使用者にとって心地よいものとすることができる。
【００３７】
また、本例においては既述したように刃片８の刃先８ｂを鋭く形成すると共にそれ以外の領域を薄く形成しているので、刃先角度が鋭いことにより髭を切断する際の抵抗が減少して切味が向上し、且つ、刃先８ｂ以外の部分が薄いことによりシェービング時の刃片８の撓み量が増加して振動が大きくなり、心地よい剃り音が得られるものである。つまり、上記構造により切れ味と良好な剃り音とが両立されるようになっている。
【００３８】
また、既述したように、複数の刃片８は長手方向に丈の長いものと短いものとを混ぜて構成されており、これにより丈の長い刃片８のシェービング時の撓み量を他のものよりも大きくして、剃り音を更に心地良くすることができるものである。
【００３９】
また、既述したように、継手部材１１の両側部から上方に突設した一対の突部２６を、ガード片１３に接触させるように内刃体１０の両側方に位置させていることから、シェービング時の刃片８の振動による空気振動が左右側方に逃げないようにして、発生した剃り音を使用者側により聞こえ易くすることができるものである。
【００４０】
次に、本発明の実施の形態における他例について説明する。なお、一例と同様の構成については各部材に同一符号を付して説明を省略すると共に、特徴的な構成について以下に詳述する。
【００４１】
図７に示すように、他例の内刃体１０において、複数の刃片８のうち下端部８ａを下方に延長して形成した左右両側の刃片８の幾つかを、他の刃片８の幅ｗよりも幅狭の幅ｗ´に形成すると共に下端部８ａの延長部分において更に幅狭の幅ｗ″に形成したものである。これにより、前記した幾つかの刃片８については剛性を低下させてシェービング時の刃片８の撓み量を大きくすることができるので、髭を切断する際の刃片８の振動を大きくして更に心地よい剃り音を得ることができる。
【００４２】
また、内刃体１０の支持壁９に、刃片８と同様の固有振動数を有する振動板２８を設けることで、シェービング時の刃片８の振動と共振して振動させて内刃体１０全体としての振動量を大きくして更に心地よい剃り音を得ることもできる。前記振動板２８は刃片８よりも下側にて支持壁９に接続されるものであり、その根元部分の板厚を薄くして振動し易くしても良い。具体的には、図８（ａ）、（ｂ）に示すように一対の支持壁９の抉り部１４の下端から下方に延設して夫々一対ずつ振動板２８を形成したり、図９（ａ）、（ｂ）や図１０（ａ）、（ｂ）に示すように一対の支持壁９の抉り部１４の下端から内方に延設して夫々一対ずつ振動板２８を形成したり、図１１（ａ）、（ｂ）に示すように一対の支持壁９の抉り部１４の上方に略コ字状のスリット２９を四箇所設けることで夫々四つずつの振動板２８を形成したりすることが好ましい。
【００４３】
また、図１２に示すように、刃片８と同様の固有振動数で共鳴する円筒状の共鳴部材３０を継手部材１１の上端部に一対配し、該共鳴部材３０を略アーチ状の内刃体１０の内方に位置させることも好適である。この構成により、シェービング時の刃片８の振動に合わせて共鳴部材３０を共鳴させ、シェービング時の剃り音を大きくして更に心地よい剃り音を得ることができる。
【００４４】
また、図１４（ａ）、（ｂ）や図１５に示すように、複数の刃片８のうち下端部８ａを下方に延長して形成した幾つかの刃片８の内面に、空気振動用の板部材３１をヤグレーザ溶接により接合させても良いし、図１６に示すように刃片８の厚みｔを、逆Ｕ字状を成す頂点部分に近付くほど大きく形成しても良い。いずれの構造であっても、シェービング時の刃片８の振動に伴って空気を押す面積を増加させて剃り音を大きすることができ、更に心地よい剃り音を得ることができるものである。
【００４５】
また、図１７、図１８に示すように、継手部材１１の上面から複数の突設部３２を上方に延設し、内刃体１０を固着させた際に、隣合う刃片８の間に突設部３２を並設させても良い。前記突設部３２は板状の部材であって、その上端部が刃片８の上端部と同様に略Ｕ字状を成して刃先３２ａを有するものである。この構造により、並設される刃片８及び突設部３２で髭を切断する際に、特に突設部３２においてはその左右両側面が振動時に多量の空気を振動させることとなり、全体として大きな剃り音を発生させて更に心地よい剃り音が得られるものである。
【００４６】
更に、図１９に示すように突設部３２の上端部を面取りして、刃先３２ａを設けるのでなく微小な曲面部分３２ｂを形成しても良い。この場合は突設部３２に髭が当たっても切断されず、突設部３２の撓み量が増大する。従って、髭が通過した後の突設部３２の振動量を大きなものとして更に心地よい剃り音を得ることができる。
【００４７】
また、本例の継手部材１１の前後面であって接触領域Ｃ以外の部分に、図２０に示すように球状突部３３を設けても構わない。球状突部３３は支持壁９と隙間を介して対向する部分に設けられるものであり、球状突部３３と支持壁９との間に僅かな空間が介在するようにしているので、内刃体１０の支持壁９が内側に撓んだ場合には球状突部３３と当たって該支持壁９がそれ以上撓まないようにするものである。従って、この構造により内刃体１０の変形及び破損を防止することができる。
【００４８】
【発明の効果】
上記のように請求項１記載の発明にあっては、シェービング時の内刃体の振動が継手部材により止められてしまうことを抑制し、振動を長く継続させることで剃り音を大きくして心地よい剃り音が得られるようになるという効果がある。
【００４９】
また、請求項２記載の発明にあっては、請求項１記載の発明の効果に加えて、シェービング時の内刃体の振動が継手部材により止められてしまうことを確実に抑制することができるという効果がある。
【００５０】
また、請求項３記載の発明にあっては、請求項１又は２記載の発明の効果に加えて、一部の刃片において撓み量を増加させて内刃体全体としての振動を大きくし、更に心地よい剃り音が得られるようにすることができるという効果がある。
【００５１】
また、請求項４記載の発明にあっては、請求項１〜３のいずれか記載の発明の効果に加えて、一部の刃片において撓み量を更に増加させて内刃体全体としての振動を大きくし、更に心地よい剃り音が得られるようにすることができるという効果がある。
【００５２】
また、請求項５記載の発明にあっては、請求項１〜４のいずれか記載の発明の効果に加えて、シェービング時の刃片の振動に振動板を共振させて内刃体全体としての振動を大きくし、更に心地よい剃り音が得られるようにすることができるという効果がある。
【００５３】
また、請求項６記載の発明にあっては、請求項５記載の発明の効果に加えて、振動板をコンパクトに形成することができるという効果がある。
【００５４】
また、請求項７記載の発明にあっては、請求項５記載の発明の効果に加えて、振動板をコンパクトに形成することができるという効果がある。
【００５５】
また、請求項８記載の発明にあっては、請求項５記載の発明の効果に加えて、振動板をコンパクトに形成することができるという効果がある。
【００５６】
また、請求項９記載の発明にあっては、請求項１〜８のいずれか記載の発明の効果に加えて、刃片の撓み量を増加させて剃り音を増大させ、更に心地よい剃り音が得られるようにすることができるという効果がある。
【００５７】
また、請求項１０記載の発明にあっては、請求項１〜９のいずれか記載の発明の効果に加えて、刃片の振動に伴って空気を押す面積を増加させて剃り音を増大させ、更に心地よい剃り音が得られるようにすることができるという効果がある。
【００５８】
また、請求項１１記載の発明にあっては、請求項１〜１０のいずれか記載の発明の効果に加えて、刃片の振動に伴って空気を押す面積を増加させて剃り音を増大させ、更に心地よい剃り音が得られるようにすることができるという効果がある。
【００５９】
また、請求項１２記載の発明にあっては、請求項１〜１１のいずれか記載の発明の効果に加えて、刃片の振動に合わせて共鳴部材を共鳴させ、剃り音を大きくして更に心地よい剃り音が得られるようにすることができるという効果がある。
【００６０】
また、請求項１３記載の発明にあっては、請求項１〜１２のいずれか記載の発明の効果に加えて、刃片の振動による空気振動が側方に逃げないようにして、発生した剃り音を使用者側により聞こえ易くすることができるという効果がある。
【００６１】
また、請求項１４記載の発明にあっては、請求項１〜１３のいずれか記載の発明の効果に加えて、並設される刃片及び突設部で髭を切断する際に、特に突設部において振動時に多量の空気を振動させることができ、全体として大きな剃り音を発生させて更に心地よい剃り音が得られるようにすることができるという効果がある。
【００６２】
また、請求項１５記載の発明にあっては、請求項１４記載の発明の効果に加えて、突設部に髭が当たっても切断されないことから突設部の撓み量を増大させることができ、髭が通過した後の突設部の振動量を大きくして更に心地よい剃り音が得られるようにすることができるという効果がある。
【００６３】
また、請求項１６記載の発明にあっては、請求項１〜１５のいずれか記載の発明の効果に加えて、内刃体の支持壁が内側に撓んだ場合には球状突部と当たって該支持壁がそれ以上撓まないようになり、内刃体の変形及び破損が防止されるという効果がある。
【図面の簡単な説明】
【図１】本発明の実施の形態における一例の往復式電気かみそりの一部分解斜視図である。
【図２】同上の内刃の分解斜視図である。
【図３】同上の内刃の正面図である。
【図４】同上の内刃の内刃体を一部取外した主要部正面図である。
【図５】同上の内刃の内刃体を一部取外した側面図である。
【図６】同上の内刃体の主要部断面図である。
【図７】本発明の実施の形態における他例の内刃の主要部正面図である。
【図８】同上の内刃体において振動板を下方に延設した場合を示しており、（ａ）は内刃体の斜視図、（ｂ）は内刃全体の斜視図である。
【図９】同上の内刃体において振動板を内方に延設した場合を示しており、（ａ）は内刃体の正面図、（ｂ）は内刃体の下面図、（ｃ）は内刃体の側面図である。
【図１０】同上の内刃体において振動板を内方に延設した場合を示しており、（ａ）は内刃全体の正面図、（ｂ）は内刃全体の下面図である。
【図１１】同上の内刃体においてスリットにより振動板を形成した場合を示しており、（ａ）は内刃体の斜視図、（ｂ）は内刃全体の斜視図である。
【図１２】同上の共鳴部材を設けた場合の継手部材を示す斜視図である。
【図１３】同上の共鳴部材を設けた場合の内刃全体を示す斜視図である
【図１４】同上の板部材を設けた場合の内刃体を示しており、（ａ）は主要部斜視図、（ｂ）は側面図である。
【図１５】同上の板部材を設けた場合の内刃全体を示す主要部斜視図である。
【図１６】同上の厚みを変化させた場合の内刃体を示す断面図である。
【図１７】同上の突設部を設けた場合の継手部材を示す斜視図である。
【図１８】同上の突設部を設けた場合の内刃全体を示す斜視図である。
【図１９】同上の突設部を面取りした場合の斜視図である。
【図２０】同上の球状突部を設けた場合の継手部材を示す斜視図である。
【符号の説明】
１　本体部
２　外刃カセット
３　外刃
４　内刃
８　刃片
９　支持壁
１０　内刃体
１１　継手部材
１３　ガード片
２１　ヒートシールボス
２６　突部
２８　振動板
３０　共鳴部材
３１　板部材
３２　突設部
３３　球状突部
Ｄ　固着部分
【図１】
2004016520.tif 000003
【図２】
2004016520.tif 000004
【図３】
2004016520.tif 000005
【図４】
2004016520.tif 000006
【図５】
2004016520.tif 000007
【図６】
2004016520.tif 000008
【図７】
2004016520.tif 000009
【図８】
2004016520.tif 000010
【図９】
2004016520.tif 000011
【図１０】
2004016520.tif 000012
【図１１】
2004016520.tif 000013
【図１２】
2004016520.tif 000014
【図１３】
2004016520.tif 000015
【図１４】
2004016520.tif 000016
【図１５】
2004016520.tif 000017
【図１６】
2004016520.tif 000018
【図１７】
2004016520.tif 000019
【図１８】
2004016520.tif 000020
【図１９】
2004016520.tif 000021
【図２０】
2004016520.tif 000022